(57)【要約】【課題】コネクタ本体の厚さ寸法を小さくしても、端子の変位量を十分に確保することのできるコネクタを提供する。【解決手段】端子１０の自由端の先端側を端子１０の弾性変形の基端となる部分１０ａの反対側に延びるように形成するとともに、その先端部１２をバッテリー１よりも側方に位置させてコネクタ本体２０の一端側に設けた突出部２２内に挿入し、突出部２２内を上下方向に移動させるようにしたので、コネクタ本体２０のバッテリー１と対向する部分に端子１０の先端部１２を上下方向に変位させるための空間を形成する必要がなく、コネクタ本体２０の厚さ寸法Ｔを小さくしても、端子１０の接触部１１の変位量Ｈを十分に確保することができる。【選択図】　図３
2004111061.tif 000002
【特許請求の範囲】
【請求項１】
接続対象物と接触する弾性変形可能な端子と、端子の一端側が固定され、その他端側の一部を外部に突出させた絶縁性のコネクタ本体とを備え、接続対象物をコネクタ本体の所定方向から端子の他端側に接触させることにより、端子を同方向に弾性変形させるように構成するとともに、端子の他端側の先端部をコネクタ本体内で変位させるようにしたコネクタにおいて、
前記端子の他端側をその先端側が接続対象物との接触位置よりも端子の弾性変形の基端となる部分の反対側に向かって延びるように形成するとともに、その先端部を接続対象物の側方に位置させ、
コネクタ本体の一端側には接続対象物の側方に位置する突出部を設けるとともに、コネクタ本体には端子の他端側の先端部が突出部内に移動自在に挿入される端子孔を設けた
ことを特徴とするコネクタ。
【請求項２】
接続対象物と接触する弾性変形可能な端子と、端子の一端側が固定され、その他端側の一部を外部に突出させた絶縁性のコネクタ本体とを備え、接続対象物をコネクタ本体の所定方向から端子の他端側に接触させることにより、端子を同方向に弾性変形させるように構成するとともに、端子の他端側の先端部をコネクタ本体内で変位させるようにしたコネクタにおいて、
前記端子の他端側をその先端側が端子の弾性変形の基端となる部分に向かって延びるように接続対象物との接触位置で屈曲させるとともに、その先端部を前記弾性変形の基端側に位置させた
ことを特徴とするコネクタ。
【請求項３】
前記コネクタ本体内に端子の他端側の先端部を接続対象物の反接触方向所定位置で係止する係止部を設けた
ことを特徴とする請求項１または２記載のコネクタ。
【発明の詳細な説明】
【０００１】
【発明の属する技術分野】
本発明は、例えば携帯電話機用の充電式電池を携帯電話機本体側と電気的に接続するためのコネクタに関するものである。
【０００２】
【従来の技術】
一般に、携帯電話機の本体背面側には、充電式電池からなるバッテリーが着脱自在に取付けられており、バッテリーの接点には携帯電話機本体側に設けられたコネクタが接触することにより、バッテリーと携帯電話機本体がコネクタを介して電気的に接続されるようになっている（例えば、特許文献１参照。）。
【０００３】
前記コネクタは、例えば図７及び図８に示すように、バッテリー１と接触する弾性変形可能な複数の端子２と、端子２の一端側が固定され、その他端側の一部を外部に突出させた絶縁性のコネクタ本体３とを備え、バッテリー１をコネクタ本体３の上方から端子２に接触させることにより、端子２を下方にに弾性変形させてバッテリー１に圧接させるように構成されている。
【０００４】
また、このコネクタでは、端子２の他端側の先端に幅方向に突出する突部２ａを設け、この突部２ａをコネクタ本体３内の係止部３ａに係止させることにより、バッテリー１の反接触方向における端子２の先端部の移動をコネクタ本体３内の所定位置で規制し、弾性変形した端子２が勢いよく復元した場合でも、端子２がコネクタ本体３から外れないようにしている。
【０００５】
【特許文献１】
特開平９−３６９４１号公報
【０００６】
【発明が解決しようとする課題】
ところで、前記コネクタでは、端子２のバッテリー１との接触圧を確保するため、端子２の自由端側（他端側）の変位量Ｈを大きくする必要がある。このため、コネクタ本体３内に端子２の先端側を上下方向に変位させるための空間（係止部３ａと底面との間）を大きく形成する必要があるが、その分だけコネクタ本体３の厚さ寸法が大きくなり、携帯電話機のような小型の電子機器に取付ける場合に不利であるという問題点があった。
【０００７】
また、図９に示すように厚さ寸法の小さいコネクタ本体４を用いた場合には、端子２の先端側を上下方向に移動させるための空間（係止部４ａと底面との間）が小さくなり、このため端子２の変位量Ｈを大きくすることができず、端子２とバッテリー１との十分な接触圧を確保することができないという問題点があった。
【０００８】
本発明は前記問題点に鑑みてなされたものであり、その目的とするところは、コネクタ本体の厚さ寸法を小さくしても、端子の変位量を十分に確保することのできるコネクタを提供することにある。
【０００９】
【課題を解決するための手段】
本発明は前記目的を達成するために、請求項１では、接続対象物と接触する弾性変形可能な端子と、端子の一端側が固定され、その他端側の一部を外部に突出させた絶縁性のコネクタ本体とを備え、接続対象物をコネクタ本体の所定方向から端子の他端側に接触させることにより、端子を同方向に弾性変形させるように構成するとともに、端子の他端側の先端部をコネクタ本体内で変位させるようにしたコネクタにおいて、前記端子の他端側をその先端側が接続対象物との接触位置よりも端子の弾性変形の基端となる部分の反対側に向かって延びるように形成するとともに、その先端部を接続対象物の側方に位置させ、コネクタ本体の一端側には接続対象物の側方に位置する突出部を設けるとともに、コネクタ本体には端子の他端側の先端部が突出部内に移動自在に挿入される端子孔を設けている。
【００１０】
これにより、端子の先端部が接続対象物の側方に位置する突出部内を移動することから、コネクタ本体の接続対象物と対向する部分に端子の先端部を上下方向に変位させるための空間を形成する必要がなく、コネクタ本体の厚さ寸法を小さくしても、端子の変位量が十分に確保される。
【００１１】
また、請求項２では、接続対象物と接触する弾性変形可能な端子と、端子の一端側が固定され、その他端側の一部を外部に突出させた絶縁性のコネクタ本体とを備え、接続対象物をコネクタ本体の所定方向から端子の他端側に接触させることにより、端子を同方向に弾性変形させるように構成するとともに、端子の他端側の先端部をコネクタ本体内で変位させるようにしたコネクタにおいて、前記端子の他端側をその先端側が端子の弾性変形の基端となる部分に向かって延びるように接続対象物との接触位置で屈曲させるとともに、その先端部を前記弾性変形の基端側に位置させている。
【００１２】
これにより、端子の先端部が弾性変形の基端となる部分側で上下方向に変位することから、端子の先端部の変位量は接続対象物との接触位置の変位量よりも小さくなる。これにより、コネクタ本体内に端子の先端部を上下方向に変位させるための空間を大きく形成する必要がなく、コネクタ本体の厚さ寸法を小さくしても、端子の変位量が十分に確保される。
【００１３】
また、請求項３では、請求項１または２記載のコネクタにおいて、前記コネクタ本体内に端子の他端側の先端部を接続対象物の反接触方向所定位置で係止する係止部を設けている。
【００１４】
これにより、請求項１または２記載の作用に加え、端子の先端部が接続対象物の反接触方向に変位すると、コネクタ本体内の係止部に係止することから、弾性変形した端子が勢いよく復元した場合でも、端子がコネクタ本体から外れることはない。
【００１５】
【発明の実施の形態】
図１乃至図３は本発明の第１の実施形態を示すもので、図１及び図２はコネクタの斜視図、図３はその側面断面図である。
【００１６】
このコネクタは、バッテリー１と接触する弾性変形可能な複数の端子１０と、各端子１０を保持する絶縁性のコネクタ本体２０とからなる。
【００１７】
各端子１０は導電性の金属板からなり、長手方向ほぼ中央で折り返されている。この場合、端子１０の一端側は直線状に延び、その自由端側（他端側）は斜め上方に延びているように形成されている。即ち、端子１０の自由端の先端側は、端子１０の弾性変形の基端となる部分１０ａ（一端側と他端側の折り返し部分）の反対側に延びるように形成されている。端子１０の自由端側の略中央部分にはバッテリー１と接触する接触部１１が設けられ、接触部１１は自由端側の一部を図中上方に湾曲させることによって形成されている。この場合、接触部１１は端子１０の幅方向中央部分に形成された突条部からなる。また、端子１０の自由端側の先端部１２は上方に屈曲しており、後述するようにコネクタ本体２０側と係止するようになっている。また、端子１０の固定端側（一端側）の先端には、基板Ａに接続される接続部１３が設けられている。
【００１８】
コネクタ本体２０は合成樹脂の成形品からなり、各端子１０が配置される複数の端子孔２１を幅方向一列に有している。コネクタ本体２０の後端側には図中上方に突出する突出部２２が設けられ、突出部２２内には各端子１０の先端側が上下方向に移動自在に挿入されている。端子孔２１はコネクタ本体２０の上面及び底面、突出部２２の前面、上面及び背面にそれぞれ開口しており、コネクタ本体２０の上面側の開口部２１ａは前後方向に延びるように形成されている。また、突出部２２の前面側の開口部２１ｂは上下方向に延び、上面側の開口部２１ａと互いに連通している。即ち、各端子１０は一端側をコネクタ本体２０の底面側に固定され、その自由端側は端子孔２１の上面側開口部２１ａから上方に露出するとともに、その先端側を前面側開口部２１ｂを介して突出部２２内に挿入されている。この場合、前面側開口部２１ｂの上端には、端子１０の先端部１２と係止する係止部２１ｃが形成されている。また、突出部２２の背面側の開口部２１ｄからは、端子１０の接続部１３が外部に突出している。
【００１９】
以上のように構成されたコネクタは、例えば携帯電話機におけるバッテリー収納部の基板Ａに取付けられる。ここで、図３に示すように接続対象物としてのバッテリー１の導電部１ａが各端子１０の接触部１１に図中上方から接触すると、各端子１０の自由端側が弾性変形の基端となる部分１０ａを中心に下方に弾性変形し、バッテリー１を取外すと端子１０の自由端側が元の高さ位置に復帰する。その際、端子１０の先端部１２がバッテリー１の側方に位置する突出部２２内を前面側開口部２１ｂに沿って上下方向に変位することから、コネクタ本体２０のバッテリー１と対向する部分に端子１０の先端部１２を上下方向に変位させるための空間を形成する必要がなく、コネクタ本体２０の厚さ寸法Ｔを小さくしても、端子１０の接触部１１の変位量Ｈを十分に確保することができる。
【００２０】
また、端子１０の先端部１２は、バッテリー１との接続を解除された状態で更にバッテリー１の反接触方向に変位すると、端子孔２１の係止部２１ｃに係止し、コネクタ本体２０の外部への端子１０の先端部１２の移動が規制されることから、弾性変形した端子１０が勢いよく復元した場合でも、端子１０がコネクタ本体２０から外れることはない。
【００２１】
このように、本実施形態のコネクタによれば、端子１０の自由端の先端側を端子１０の弾性変形の基端となる部分１０ａの反対側に延びるように形成するとともに、その先端部１２をバッテリー１よりも側方に位置させてコネクタ本体２０の一端側に設けた突出部２２内に挿入し、突出部２２内を上下方向に移動させるようにしたので、コネクタ本体２０の厚さ寸法Ｔを小さくしても、端子１０の変位量Ｈを十分に確保することができ、コネクタ本体２０の小型化及び接続信頼性の向上を図ることができる。
【００２２】
図４乃至図６は本発明の第２の実施形態を示すもので、図４及び図５はコネクタの斜視図、図６はその側面断面図である。
【００２３】
本実施形態のコネクタは、前記実施形態と同様、バッテリー１と接触する弾性変形可能な複数の端子３０と、各端子３０を保持する絶縁性のコネクタ本体４０とからなる。
【００２４】
各端子３０は導電性の金属板からなり、長手方向所定位置で折り返されている。この場合、端子３０の一端側は直線状に延び、その自由端側（他端側）は斜め上方に延びるとともに、略Ｕ字状に屈曲するように形成されている。即ち、端子３０の自由端の先端側は、端子３０の弾性変形の基端となる部分３０ａ（一端側と他端側の折り返し部分）に向かって延び、その先端部３２が弾性変形の基端となる部分３０ａ側に位置するように形成されている。端子３０の自由端側の前記屈曲部分にはバッテリー１と接触する接触部３１が設けられ、接触部３１は端子３０の幅方向中央部分に形成された突条部からなる。また、端子３０の自由端側の先端部３２は幅方向両側に突出する突部３２ａを有しており、各突部３２ａは後述するようにコネクタ本体４０側と係止するようになっている。
【００２５】
コネクタ本体４０は合成樹脂の成形品からなり、各端子３０が配置される複数の端子孔４１を幅方向一列に有している。コネクタ本体４０には、前記実施形態のような突出部は設けられておらず、その上面を一様な平面状に形成されている。端子孔４１はコネクタ本体４０の上面及び底面にそれぞれ開口しており、上面側及び底面側の開口部４１ａ，４１ｂはそれぞれ前後方向に延びるように形成されている。即ち、各端子３０は一端側をコネクタ本体４０の底面側に固定され、その自由端側は端子孔４１の上面側開口部４１ａから上方に突出している。この場合、端子孔４１内の両側面には、端子３０の先端部３２の各突部３２ａと係止する係止部４１ｃが形成されている。また、コネクタ本体４０の底面側開口部４１ｂからは、端子３０の一端側が外部に露出しており、端子３０の一端側は基板Ａに接続されるようになっている。
【００２６】
以上のように構成されたコネクタは、前記実施形態と同様、携帯電話機におけるバッテリー収納部の基板Ａに取付けられる。ここで、図６に示すようにバッテリー１の導電部１ａが各端子３０の接触部３１に図中上方から接触すると、各端子３０の自由端側が弾性変形の基端となる部分３０ａを中心に下方に弾性変形し、バッテリー１を取外すと端子３０の自由端側が元の高さ位置に復帰する。その際、端子３０の先端部３２は弾性変形の基端となる部分３０ａ側で上下方向に変位することから、先端部３２の変位量は接触部３１の変位量Ｈよりも小さくなる。これにより、コネクタ本体４０内に端子３０の先端部３２を上下方向に変位させるための空間を大きく形成する必要がなく、コネクタ本体４０の厚さ寸法Ｔを小さくしても、端子３０の接触部３１の変位量Ｈを十分に確保することができる。
【００２７】
また、端子３０の先端部３２は、バッテリー１との接続を解除された状態で更にバッテリー１の反接触方向に変位すると、先端部３２の各突部３２ａが端子孔４１の係止部４１ｃに係止し、コネクタ本体４０の外部への端子３０の先端部３２の移動が規制されることから、弾性変形した端子３０が勢いよく復元した場合でも、端子３０がコネクタ本体４０から外れることはない。
【００２８】
このように、本実施形態のコネクタによれば、端子３０の自由端側をその先端が端子３０の弾性変形の基端となる部分３０ａに向かって延びるように形成するとともに、その先端部３２を弾性変形の基端となる部分３０ａ側を上下方向に移動させるようにしたので、コネクタ本体４０の厚さ寸法Ｔを小さくしても、端子３０の変位量Ｈを十分に確保することができ、コネクタ本体４０の小型化及び接続信頼性の向上を図ることができる。
【００２９】
【発明の効果】
以上説明したように、請求項１または２のコネクタによれば、コネクタ本体の厚さ寸法を小さくしても、端子の変位量を十分に確保することができるので、コネクタ本体の小型化及び接続信頼性の向上を図ることができる。
【００３０】
また、請求項３のコネクタによれば、請求項１または２の効果に加え、コネクタ本体の外部への端子の先端部の移動を規制することができるので、弾性変形した端子が勢いよく復元した場合でも、端子がコネクタ本体から外れることがなく、端子の脱落を確実に防止することができる。
【図面の簡単な説明】
【図１】本発明の第１の実施形態を示すコネクタの正面側斜視図
【図２】コネクタの背面側斜視図
【図３】コネクタの動作を示す側面断面図
【図４】本発明の第２の実施形態を示すコネクタの正面側斜視図
【図５】コネクタの背面側斜視図
【図６】コネクタの動作を示す側面断面図
【図７】従来例を示すコネクタの斜視図
【図８】従来例の動作を示すコネクタの側面断面図
【図９】他の従来例の動作を示すコネクタの側面断面図
【符号の説明】
１…バッテリー、１０…端子、１０ａ…弾性変形の基端となる部分、１１…接続部、１２…先端部、２０…コネクタ本体、２１…端子孔、２１ｃ…係止部、２２…突出部、３０…端子、３０ａ…弾性変形の基端となる部分、３１…接続部、３２…先端部、４０…コネクタ本体、４１…端子孔、４１ｃ…係止部。
【図１】
2004111061.tif 000003
【図２】
2004111061.tif 000004
【図３】
2004111061.tif 000005
【図４】
2004111061.tif 000006
【図５】
2004111061.tif 000007
【図６】
2004111061.tif 000008
【図７】
2004111061.tif 000009
【図８】
2004111061.tif 000010
【図９】
2004111061.tif 000011